(57)【特許請求の範囲】
【請求項１】
複数の孔を有するラック柱へのスライドレールの取り付けに用いられるブラケットデバイスであって、
縦方向板及び前記縦方向板に対し交差するエンドプレートを有するブラケットと、
前記エンドプレートに取り付けられている少なくとも１個の取り付け部材と、
前記ブラケットに移動可能に接続され、前記ブラケットに相対して第一位置または第二位置に設けられており、前記エンドプレートを通過し、導引面を含むカギ部を有するフックと、
弾力を蓄え、前記フックに弾力を作用する弾性部材と、
を備え、
前記フックと前記ブラケットのいずれか一つは、縦方向導引部を有し、
前記フックは、前記縦方向導引部により、前記ブラケットに相対して縦方向に移動し、
ピン接合部材をさらに備え、
前記縦方向導引部は、前記ブラケットに相対して縦方向に連通する縦方向孔で、
前記ピン接合部材は、前記縦方向孔の一部分を通過し、前記フックを前記ブラケットに取り付けられており、
前記フックが前記第二位置から前記第一位置まで移動するとき、前記フックは前記エンドプレートに相対して伸び出し、
前記フックが前記第一位置から前記第二位置まで移動するとき、前記フックは前記ブラケットに収納され、
前記導引面が前記ラック柱に接触したとき、前記フックは、初期状態から一角度の偏りを呈し、前記カギ部は、前記孔に対応して貫通し、
前記フックが初期状態から一角度の偏りを呈したとき、弾性部材は、弾力を蓄え、前記カギ部が前記孔に貫通したとき、前記フックは、前記弾性部材の弾力に反応し、初期状態を回復することを特徴とするブラケットデバイス。
【請求項２】
前記縦方向板は、凸ブロックを有し、前記フックの片側に接触することを特徴とする請求項１に記載のブラケットデバイス。
【請求項３】
前記取り付け部材は、第一取り付け部及び第二取り付け部を有し、
前記第一取り付け部の大きさは、前記第二取り付け部の大きさより大きいことを特徴とする請求項１に記載のブラケットデバイス。
【請求項４】
前記取り付け部材は、第三取り付け部をさらに有し、
前記第二取り付け部の大きさは、前記第三取り付け部の大きさより大きいことを特徴とする請求項３に記載のブラケットデバイス。
【請求項５】
複数の孔を有するラック柱へのスライドレールの取り付けに用いられるブラケットデバイスであって、
前記スライドレールに取り付けられ、エンドプレートを有するブラケットと、
前記ブラケットに移動可能に接続され、前記ブラケットに相対して第一位置または第二位置に設けられており、前記エンドプレートを通過し、導引面を含むカギ部を有するフックと、
を備え、
前記フックと前記ブラケットのいずれか一つは、縦方向導引部を有し、
前記フックは、前記縦方向導引部により、前記ブラケットに相対して縦方向に移動し、
ピン接合部材をさらに備え、
前記縦方向導引部は、前記ブラケットに相対して縦方向に連通する縦方向孔で、
前記ピン接合部材は、前記縦方向孔の一部分を通過し、前記フックを前記ブラケットに取り付けられており、
前記フックが前記第二位置から前記第一位置まで移動するとき、前記フックは前記エンドプレートに相対して伸び出し、
前記フックが前記第一位置から前記第二位置まで移動するとき、前記フックは前記ブラケットに収納され、
前記導引面が前記ラック柱に接触したとき、前記フックは、初期状態から一角度の偏りを呈し、前記カギ部は、前記孔に対応して貫通することを特徴とするブラケットデバイス。
【請求項６】
複数の孔を有するラック柱へのスライドレールの取り付けに用いられるブラケットデバイスであって、
前記スライドレールに取り付けられ、縦方向板及び前記縦方向板に対し交差するエンドプレートを有するブラケットと、
前記エンドプレートに取り付けられている少なくとも１個の取り付け部材と、
前記ブラケットに移動可能に接続され、前記ブラケットに相対して第一位置または第二位置に設けられるフックと、
前記フックが前記第一位置にあるとき、前記フックが前記エンドプレートに相対して伸び出し、
前記フックが前記第二位置にあるとき、前記フックが前記ブラケットに収納され
前記スライドレールが第一方向を向いて前記ラック柱へと取り付けられているとき、
前記フックは、前記ラック柱に接触し、複数の前記孔の内のいずれか一つに隣り合い、前記第一位置から第二方向に向かって前記第二位置まで移動し、
前記取り付け部材は、第一方向を向いて、前記フックと隣り合う前記ラック柱の孔とは別の前記ラック柱の孔の一つに取り付けられていることを特徴とするブラケットデバイス。
【請求項７】
複数の前記孔の大きさは、前記フックの大きさより小さく、
前記フックは、第一方向に向かって前記孔を通過するとき、前記ラック柱に接触し停止することを特徴とする請求項６に記載のブラケットデバイス。
【発明の詳細な説明】
【技術分野】
【０００１】
本発明は、ブラケットデバイスに関し、特にスライドレールをラック（ｒａｃｋ）のラック柱に取り付けられるブラケットデバイスに関する。
【背景技術】
【０００２】
一般に、ラック式設備は、通常では、スライドレールアセンブリにより、ラック上に取り付けられる。
特許文献１は、工具が不要で、ラックに接続されるスライドレールアダプターを開示する。
アダプターは、スライドレールに接続され、それによりスライドレールをラックに取り付ける。
【０００３】
アダプターを、スライドレールの取り付け部材に取り付ける。
特許文献１の図５と図６に示す通り、アダプターは、ラッチを有する。
スライドレールは、ラッチ及びサポート部材により、ラック柱の複数の孔に取り付けられる。
【０００４】
しかし、ラックの規格が異なる状況において、ラックが有する複数の孔の形状または大きさは異なる。
そのため、スライドレールにおいて、媒介パーツまたは装置に対してさまざまなラックの規格にできる限り対応させるかは、重大な課題である。
【先行技術文献】
【特許文献】
【０００５】
【特許文献１】米国特許第７，３５７，３６２Ｂ２明細書
【特許文献２】米国特許第７，６６９，２７９Ｂ２明細書
【特許文献３】米国特許第７，７３１，１４２Ｂ２明細書
【特許文献４】米国特許第８，３７１，４５４Ｂ２明細書
【特許文献５】米国特許第２０１４／０１０４７７７Ａ１明細書
【発明の概要】
【発明が解決しようとする課題】
【０００６】
先行技術では、スライドレールは、ラッチ及びサポート部材により、ラック柱の複数の孔に取り付けられる。しかし、ラックの規格が異なる状況において、ラックが有する複数の孔の形状または大きさが異なるという欠点がある。
【課題を解決するための手段】
【０００７】
本発明は、異なる規格のラック柱に取り付けられるブラケットデバイスに関する。
【０００８】
本発明によるブラケットデバイスは、複数の孔を有するラック柱へのスライドレールの取り付けに用いられ、ブラケット、少なくとも１個の取り付け部材及びフックを備える。
ブラケットは、縦方向板及び縦方向板に対し交差するエンドプレートを有する。
少なくとも１個の取り付け部材は、ブラケットのエンドプレートに取り付けられる。
フックは、ブラケットに移動可能に接続され、ブラケットに相対し、第一位置または第二位置に設けられており、エンドプレートを通過し、導引面を含むカギ部を有する。
フックが第二位置から第一位置まで移動するとき、フックはエンドプレートに相対して伸び出す。
フックが第一位置から第二位置まで移動するとき、フックはブラケットに収納される。
導引面がラック柱に接触したとき、フックは、初期状態から一角度の偏りを呈して変形し、前記カギ部は、孔に対応して貫通する。
【０００９】
フックとブラケットの内のいずれか一つは縦方向導引部を有する。
フックは、縦方向導引部により、ブラケットに相対して縦方向に移動する。
【００１０】
ブラケットデバイスは、ピン接合部材をさらに備える。
縦方向導引部は、ブラケットに相対して縦方向に連通する縦方向孔である。
ピン接合部材は、縦方向孔の一部分を通過し、フックをブラケットに取り付けている。
【００１１】
ブラケットデバイスは、弾性部材をさらに備える。
弾性部材は、フックに弾力を作用する。
フックは、弾性部材が生じる弾力に対応し、第一位置に保持される。
【００１２】
好ましくは、縦方向板は、凸ブロックを有し、フックの片側に接触する。
【００１３】
好ましくは、取り付け部材は、第一取り付け部及び第二取り付け部を有する。
第一取り付け部の大きさは、第二取り付け部の大きさより大きい。
【００１４】
好ましくは、少なくとも１個の取り付け部材は、第三取り付け部をさらに有し、第二取り付け部の大きさは、第三取り付け部の大きさより大きい。
【００１５】
本発明によるもう一つのブラケットデバイスは、スライドレールに用いられ、ブラケット及びフックを備える。
ブラケットは、スライドレールに取り付けられ、エンドプレートを有する。
フックとブラケットの内のいずれか一つは縦方向導引部を有する。
フックは、縦方向導引部により、ブラケットに相対して縦方向に移動する。
ブラケットデバイスは、ピン接合部材をさらに備える。
縦方向導引部は、ブラケットに相対して縦方向に連通する縦方向孔である。
ピン接合部材は、縦方向孔の一部分を通過し、フックをブラケットに取り付けている。
フックは、ブラケットに移動可能に接続され、ブラケットに相対して第一位置または第二位置に設けられる。
フックが第二位置から第一位置まで移動するとき、フックはエンドプレートに相対して伸び出す。
フックが第一位置から第二位置まで移動するとき、フックはブラケットに収納される。
【００１６】
本発明によるさらにもう一つのブラケットデバイスは、ラック柱へのスライドレールの取り付けに用いられる。
ラック柱は、複数の孔を有する。
ブラケットデバイスは、ブラケット、少なくとも１個の取り付け部材及びフックを有する。
ブラケットは、スライドレールに取り付けられ、縦方向板及び縦方向板に対し交差するエンドプレートを有する。
少なくとも１個の取り付け部材は、エンドプレートに取り付けられる。
フックは、ブラケットに移動可能に接続され、ブラケットに相対して第一位置または第二位置に位置する。
フックが第一位置にあるとき、フックは、エンドプレートに相対して伸び出す。
フックが第二位置にあるとき、フックは、ブラケットに収納される。
スライドレールが、第一方向を向いて、ラック柱へと取り付けられているとき、フックは、ラック柱に接触し、複数の孔の内のいずれか一つに隣り合い、第一位置から第二方向に向かって第二位置まで移動する。また、取り付け部材は、第一方向を向いて、フックと隣り合うラックの孔とは別のラック柱の孔の一つに取り付けられる。
【００１７】
好ましくは、ブラケットデバイスは、弾性部材をさらに備える。
弾性部材は、フックに弾力を作用する。
【００１８】
好ましくは、ラック柱の孔の大きさは、フックの大きさより小さい。
フックは、第一方向に向かって孔を通過するとき、ラック柱に接触し停止する。
【００１９】
本発明の実施形態を応用する特徴の一つは、ブラケットデバイスは、異なる規格の多種のラック柱に取り付けられるため、高い産業上の利用価値を備える。
【図面の簡単な説明】
【００２０】
【図１】本発明第一実施形態のスライドレールアセンブリがブラケットデバイスによりラックに取り付けられる様子を示す斜視図である。
【図２】本発明第一実施形態のブラケットデバイスの分解斜視図である。
【図３】本発明第一実施形態のスライドレールアセンブリがブラケットデバイスによりラック柱へと取り付けられる様子を示す模式図である。
【図４】本発明第一実施形態のラック柱の拡大図である。
【図５】本発明第一実施形態のスライドレールアセンブリがブラケットデバイスによりラック柱へと取り付けられる様子を示す模式図である。
【図６】本発明第一実施形態のスライドレールアセンブリがブラケットデバイスによりラック柱に取り付けられる様子を示す模式図である。
【図７】本発明第一実施形態のブラケットデバイスがラック柱に取り付けられる様子を示す拡大図である。
【図８】本発明第二実施形態のスライドレールアセンブリがブラケットデバイスによりラック柱へと取り付けられる様子を示す模式図である。
【図９】本発明第二実施形態のラック柱の拡大図である。
【図１０】本発明第二実施形態のスライドレールアセンブリがブラケットデバイスによりラック柱へと取り付けられる様子を示す模式図である。
【図１１】本発明第二実施形態のスライドレールアセンブリがブラケットデバイスによりラック柱に取り付けられる様子を示す模式図である。
【図１２】本発明第二実施形態のブラケットデバイスがラック柱に取り付けられる様子を示す拡大図である。
【図１３】本発明第三実施形態のスライドレールアセンブリがブラケットデバイスによりラック柱へと取り付けられる様子を示す模式図である。
【図１４】本発明第三実施形態のラック柱の拡大図である。
【図１５】本発明第三実施形態のスライドレールアセンブリがブラケットデバイスによりラック柱へと取り付けられる様子を示す模式図である。
【図１６】本発明第三実施形態のスライドレールアセンブリがブラケットデバイスによりラック柱に取り付けられる様子を示す模式図である。
【図１７】本発明第三実施形態のブラケットデバイスがラック柱に取り付けられる様子を示す拡大図である。
【発明を実施するための形態】
【００２１】
（一実施形態）
図１に示す通り、本発明一実施形態の一対のスライドレールアセンブリ２０は、ラック（ｒａｃｋ）２２に取り付けられる。
各スライドレールアセンブリ２０は、相互に順番に移動可能に接続される第一レール２４、第二レール２６及び第三レール２８などスライドレールを有する。
第三レール２８には、搭載物３０を取り付けられ、これにより搭載物３０は、ラック２２内からラック２２外へと引き出される。
【００２２】
具体的には、各スライドレールアセンブリ２０の第一レール２４の前、後２個の部位は、ブラケットにより、それぞれラック２２の一対のラック柱に取り付けられる。
以下においては、本発明実施形態の特徴を表すため、ブラケットデバイス３２によるスライドレールアセンブリ２０の第一レール２４のラック柱３４への取り付けについて説明する。
【００２３】
図２及び図３に示す通り、ブラケットデバイス３２は、ブラケット３６、少なくとも１個の取り付け部材３８及びフック４０を有する。
ブラケット３６は、縦方向板４２、及び縦方向板４２に交差するエンドプレート４４を有する。本実施形態では、縦方向板４２とエンドプレート４４とは垂直である。
少なくとも１個の取り付け部材３８は、ブラケット３６のエンドプレート４４に取り付けられる。
ここでは、２個の取り付け部材３８を例とする。
フック４０は、ブラケット３６に移動可能に接続される。
【００２４】
好ましくは、フック４０とブラケット３６の内のいずれか一つは、縦方向導引部４６を有する。
ここでは、フック４０は、縦方向導引部４６を備えることを例とする。
具体的には、フック４０は、カギ部４８と取り付け部５０をさらに有する。
カギ部４８は、ブラケット３６のエンドプレート４４を通過する。
縦方向導引部４６は、カギ部４８と取り付け部５０との間に位置する。
本実施形態中では、縦方向導引部４６は、ブラケット３６に相対して縦方向に連通する縦方向孔を例とする。
【００２５】
好ましくは、ブラケットデバイス３２は、ピン接合部材５２及び弾性部材５４をさらに有する。
ピン接合部材５２は、縦方向導引部４６の一部分を貫通し、しかもフック４０をブラケット３６の縦方向板４２に取り付ける。
具体的には、ピン接合部材５２は、頭部５６、頭部５６に連接する身部５８を有する。
身部５８の大きさは、頭部５６より小さい。
身部５８は、縦方向導引部４６の一部分を貫通し、しかも身部５８はブラケット３６の縦方向板４２に取り付けられる。
一方、頭部５６は、縦方向導引部４６外でブロックできる。
弾性部材５４は、フック４０に弾力を作用する。
例えば、ブラケット３６の縦方向板４２は、連接部６０を有する。
弾性部材５４は、縦方向板４２の連接部６０とフック４０の取り付け部５０との間に取り付けられる。
【００２６】
本実施形態中では、ブラケット３６の縦方向板４２は、サポート部６２を有する。
一方、弾性部材５４は、巻き取り部６４、及び巻き取り部６４から延伸する第一弾性部６６と第二弾性部６８を有する。
第一弾性部６６は、縦方向板４２の連接部６０に嵌着し、しかも第一弾性部６６の一部分は、サポート部６２に接触、または隣り合って位置する。
一方、第二弾性部６８は、フック４０の取り付け部５０に連接する。
好ましくは、ブラケット３６の縦方向板４２は、開口７０を有し、開口７０により、操作者はフック４０を便利に操作できる。
【００２７】
図３に示す通り、弾性部材５４は、フック４０に弾力を作用する。
これにより、フック４０は、弾性部材５４が生じる弾力に反応し、第一位置Ｐ１を保持することができる。
この時、フック４０のカギ部４８は、ブラケット３６のエンドプレート４４に相対して伸び出す。
好ましくは、ブラケットデバイス３２は、ブラケット３６に位置する凸ブロック７２を有する。
それは例えば、ブラケット３６の縦方向板４２などに位置する。
凸ブロック７２は、フック４０の上側などの片側に接触し、フック４０の移動ルートを制限する。
この他、各取り付け部材３８は、第一取り付け部７４ａ、第二取り付け部７４ｂ及び第三取り付け部７４ｃを有する。
第一取り付け部７４ａの大きさは、第二取り付け部７４ｂの大きさより大きく、第二取り付け部７４ｂの大きさは、第三取り付け部７４ｃの大きさより大きい。
第一取り付け部７４ａ及び第二取り付け部７４ｂは、ブラケット３６のエンドプレート４４に相対し、弾性を呈して伸縮するように移動する。
例えば、取り付け部材３８内に、弾性部材を設置し、この機能を達成する。
この部分は、領域に通常の知識を有する者は理解可能な技術範疇であるので、簡略化するため、ここでは説明しない。
【００２８】
図３と図４に示す通り、第一取り付け実施形態中では、スライドレールアセンブリ２０は、第一レール２４上のブラケットデバイス３２により、ラック柱３４に取り付けられる。
ブラケットデバイス３２のブラケット３６の縦方向板４２は、第一レール２４に取り付けられる。
ラック柱３４は、複数の孔を有する。
ここでは、第一孔７６ａ、第二孔７６ｂ及び第三孔７６ｃを例とする。
これら孔７６ａ、７６ｂ及び７６ｃは、方孔でしかも大きさが相同である。
各取り付け部材３８の第一取り付け部７４ａの大きさは、これら孔７６ａ、７６ｂ及び７６ｃの大きさＬ１より小さく、しかフック４０のカギ部４８の大きさＬ４は、これら孔７６ａ、７６ｂ及び７６ｃの大きさＬ１より小さい。
【００２９】
図５に示す通り、取り付け過程において、操作者はブラケット３６を第一方向Ｄ１へとラック柱３４に取り付ける。
これにより、２個の取り付け部材３８の第一取り付け部７４ａは、それぞれ第一孔７６ａと第二孔７６ｂに対応し取り付けられる。
フック４０のカギ部４８は、斜面または曲面等の導引面７８を有する。
第一方向Ｄ１に向かい予定位置まで移動すると、導引面７８は、ラック柱３４に接触する。
これにより、フック４０は、初期状態から一角度の偏りを呈し、カギ部４８は、第三孔７６ｃに対応して貫通する。
または、操作者は、開口７０からフック４０を操作する。これにより、フック４０は、ブラケット３６の縦方向板４２に相対し、初期状態から一角度の偏りを呈し、カギ部４８は第三孔７６ｃに対応して貫通する。
フック４０がブラケット３６の縦方向板４２に相対して角度の偏りを呈する時、弾性部材５４の第二弾性部６８は弾力を蓄えられる。
【００３０】
図６と図７に示す通り、フック４０のカギ部４８がラック柱３４の第三孔７６ｃを通過すると、フック４０は、弾性部材５４の弾力に反応し、初期状態を回復する。
これにより、フック４０のカギ部４８は、ラック柱３４上に取り付けられる。
一方、２個の取り付け部材３８の第一取り付け部７４ａは、それぞれ第一孔７６ａと第二孔７６ｂを通過する。
これにより、ブラケットデバイス３２は、ラック柱３４に取り付けられる。
つまり、スライドレールアセンブリ２０は、ブラケットデバイス３２により、ラック柱３４に取り付けられる。
ブラケットデバイス３２をラック柱３４上から取り外す時には、操作者はフック４０を操作する（例えば、開口７０からフック４０を操作する）。
これにより、フック４０は一角度の偏りを呈し、カギ部４８はラック柱３４を離脱し、ブラケットデバイス３２をラック柱３４から取り外すことができる。
【００３１】
図８と図９に示す通り、第二取り付け実施形態では、スライドレールアセンブリ２０は、第一レール２４上のブラケットデバイス３２により、ラック柱２０２に取り付けられる。
ラック柱２０２は、複数の孔を有し、ここでは第一孔２０４、第二孔２０６及び第三孔２０８を例とする。
これら孔２０４、２０６及び２０８は、円孔で、３つの大きさは同じである。
各取り付け部材３８の第一取り付け部７４ａの大きさは、これら孔２０４、２０６及び２０８の大きさＬ２より大きい。
各取り付け部材３８の第二取り付け部７４ｂの大きさは、これら孔２０４、２０６及び２０８の大きさＬ２より小さい。
フック４０のカギ部４８の大きさＬ４は、これら孔２０４、２０６及び２０８の大きさＬ２より小さい。
【００３２】
図１０に示す通り、取り付け過程において、操作者は、ブラケット３６を第一方向Ｄ１へとラック柱２０２に取り付ける。
これにより、２個の取り付け部材３８の第二取り付け部７４ｂは、それぞれ第一孔２０４と第二孔２０６に対応して取り付けられる。
フック４０は、ブラケット３６の縦方向板４２に相対し、初期状態から一角度の偏りを呈し、カギ部４８は、第三孔２０８に対応して貫通する。
フック４０がブラケット３６の縦方向板４２に相対し、角度の偏りを呈する時、弾性部材５４の第二弾性部６８は弾力を蓄えられる。
【００３３】
図１１と図１２に示す通り、フック４０のカギ部４８が、ラック柱２０２の第三孔２０８を通過すると、フック４０は、弾性部材５４の弾力に反応し、初期状態を回復する。
これにより、フック４０のカギ部４８は、ラック柱２０２上に取り付けられ、ブラケットデバイス３２は、ラック柱２０２に取り付けられる。
【００３４】
図１３と図１４に示す通り、第三取り付け実施形態では、スライドレールアセンブリ２０は、第一レール２４上のブラケットデバイス３２により、ラック柱３０２に取り付けられる。
ラック柱３０２は、複数の孔を有し、ここでは第一孔３０４、第二孔３０６及び第三孔３０８を例とする。
これら孔３０４、３０６及び３０８は、円孔で、３つの大きさは同じである。
各取り付け部材３８の第二取り付け部７４ｂの大きさは、これら孔３０４、３０６及び３０８の大きさＬ３より大きい。
各取り付け部材３８の第三取り付け部７４ｃの大きさは、これら孔３０４、３０６及び３０８の大きさＬ３より小さく、しかもフック４０のカギ部４８の大きさＬ４は、これら孔３０４、３０６及び３０８の大きさＬ３より大きい。
【００３５】
図１５に示す通り、取り付け過程において、操作者は、ブラケット３６を第一方向Ｄ１へとラック柱３０２に取り付ける。
これにより、２個の取り付け部材３８の第三取り付け部７４ｃは、それぞれ第一孔３０４と第二孔３０６に対応して貫通する。
しかも、第一方向Ｄ１に向かう取り付け過程において、フック４０のカギ部４８のサイは、第三孔３０８の大きさより大きいため、予定位置へと移動する時、フック４０のカギ部４８は、第一方向Ｄ１へと第三孔３０８を通過できない。つまりフック４０のカギ部４８は、ラック柱３０２に停止して、第三孔３０８に隣り合う。
【００３６】
図１５に合わせて図１６に示す通り、フック４０のカギ部４８が、ラック柱３０２の第三孔３０８を通過できず、ラック柱３０２に停止する。フック４０が、ブラケット３６のエンドプレート４４に相対し伸び出す第一位置Ｐ１から第二方向（例えば、第一方向Ｄ１に反対の方向）に向かい、ブラケット３６のエンドプレート４４に相対して収納される（ｒｅｔｒａｃｔｅｄ）第二位置Ｐ２へと移動する。
この時、弾性部材５４、例えば、弾性部材５４の第二弾性部６８は弾力を蓄えられる。
【００３７】
合わせて図１７に示す通り、ブラケットデバイス３２が継続して第一方向Ｄ１へと移動すると、２個の取り付け部材３８の第三取り付け部７４ｃは、第一方向Ｄ１に向かい、それぞれラック柱３０２の第一孔３０４と第二孔３０６に取り付けられる。
これにより、ブラケット３６はラック柱３０２に取り付けられ、この取り付け状態の下、さらにネジ部材８０を組み合わせ、ブラケット３６をラック柱３０２に固定することができる。
つまり、スライドレールアセンブリ２０の第一レール２４は、ブラケットデバイス３２により、ラック柱３０２に取り付けられる。
ブラケットデバイス３２を、ラック柱３０２上から取り外す時には、ネジ部材８０を先ずラック柱３０２から取り外した後、操作者は、ブラケットデバイス３２を第二方向（例えば、第一方向Ｄ１に反対の方向）へと移動させれば良い。
【００３８】
ブラケットデバイス３２をラック柱３０２から取り外す時には、フック４０は弾性部材
５４の弾力に反応し、再度、第二位置Ｐ２から第一位置Ｐ１に戻る。
この他、縦方向導引部４６により、フック４０はブラケット３６の縦方向板４２に相
対し縦方向に移動する。
つまり、フック４０は、第一位置Ｐ１から縦方向地に第二位置Ｐ２まで移動し、または
フック４０は、第二位置Ｐ２から縦方向に第一位置Ｐ１まで移動する。
【００３９】
上記したように、本発明のブラケットデバイスは、異なる規格の多種のラック柱に取り付けられるため、高い産業上の利用価値を備える。
【００４０】
本発明の実施形態は、本発明を限定するものではなく、本発明により保護される範囲は、特許請求の範囲を基準とする。
【符号の説明】
【００４１】
２０  スライドレールアセンブリ、
２２  ラック、
２４  第一レール、
２６  第二レール、
２８  第三レール、
３０  搭載物、
３２  ブラケットデバイス、
３４、２０２、３０２  ラック柱、
３６  ブラケット、
３８  取り付け部材、
４０  フック、
４２  縦方向板、
４４  エンドプレート、
４６  縦方向導引部、
４８  カギ部、
５０  取り付け部、
５２  ピン接合部材、
５４  弾性部材、
５６  頭部、
５８  身部、
６０  連接部、
６２  サポート部、
６４  巻き取り部、
６６  第一弾性部、
６８  第二弾性部、
７０  開口、
７２  凸ブロック、
７４ａ  第一取り付け部、
７４ｂ  第二取り付け部、
７４ｃ  第三取り付け部、
７６ａ、２０４、３０４  第一孔、
７６ｂ、２０６、３０６  第二孔、
７６ｃ、２０８、３０８  第三孔、
７８  導引面、
８０  ネジ部材、
Ｄ１  方向、
Ｌ１、Ｌ２、Ｌ３、Ｌ４  大きさ、
Ｐ１  第一位置、
Ｐ２  第二位置。
【図１】
0006542181.tif 000002
【図２】
0006542181.tif 000003
【図３】
0006542181.tif 000004
【図４】
0006542181.tif 000005
【図５】
0006542181.tif 000006
【図６】
0006542181.tif 000007
【図７】
0006542181.tif 000008
【図８】
0006542181.tif 000009
【図９】
0006542181.tif 000010
【図１０】
0006542181.tif 000011
【図１１】
0006542181.tif 000012
【図１２】
0006542181.tif 000013
【図１３】
0006542181.tif 000014
【図１４】
0006542181.tif 000015
【図１５】
0006542181.tif 000016
【図１６】
0006542181.tif 000017
【図１７】
0006542181.tif 000018